(57)【要約】【課題】電動機と遊星歯車装置との間にトルクリミッタ装置が設けられる場合であっても、部品点数および部品の加工工数を増加させずに遊星歯車装置へ潤滑油を効率的に供給することができる車両用動力伝達装置を提供する。【解決手段】トルクリミッタ装置２６のカバー部材６６およびプレート部材６８は、軸心Ｃ１に平行な一直線方向にそれぞれ貫通し、それらカバー部材６６およびプレート部材６８を同心とするために用いられる位置決め穴７６をそれぞれ有し、その位置決め穴７６の内周側からカバー部材６６とプレート部材６８との間に供給される潤滑油によって相互間の摩擦部位が潤滑され、且つ位置決め穴７６を通じて遊星歯車装置２４側へ流出した潤滑油によってその遊星歯車装置２４が潤滑されるようにした。【選択図】図２
2011202775.tif 000002
【特許請求の範囲】
【請求項１】
電動機と、
駆動源の動力を該電動機および出力回転部材に分配する遊星歯車装置と、
軸心方向において該電動機と該遊星歯車装置との間に配設され、該電動機に連結された第１回転部材と、該遊星歯車装置に連結されて該第１回転部材と摩擦係合された第２回転部材とを有し、該第１および第２回転部材間の摩擦によって該電動機と該遊星歯車装置との間でトルクを伝達しつつも、該第１および第２回転部材間のトルク差が予め定められた所定トルクを超えると該第１および第２回転部材が互いにスリップして該電動機と該遊星歯車装置との間のトルクの伝達を抑制するトルクリミッタ装置と
を、備える車両用動力伝達装置であって、
前記第１および第２回転部材のうち前記遊星歯車装置側の部材は、前記軸心方向に貫通する貫通穴を有し、該貫通穴の内周側から該第１および第２回転部材の間に供給される潤滑油によって相互間の摩擦部位が潤滑され、且つ該貫通穴を通じて前記遊星歯車装置側へ流出した潤滑油によって該遊星歯車装置が潤滑されるようにしたことを特徴とする車両用動力伝達装置。
【請求項２】
前記貫通穴は、前記第１および第２回転部材に前記軸心方向にそれぞれ貫通して設けられて該第１および第２回転部材を同心とするために用いられる一対の位置決め穴の一方であることを特徴とする請求項１の車両用動力伝達装置。
【請求項３】
前記遊星歯車装置は、前記トルクリミッタ装置を介して前記電動機と共に回転可能に設けられたサンギヤと、該サンギヤに噛み合うピニオンギヤを自転可能に支持するピニオンシャフトと、該ピニオンシャフトの両端部を支持するとともに該ピニオンシャフトを介して該ピニオンギヤを該サンギヤまわりの公転可能に支持し、前記駆動源と共に回転するキャリヤと、該ピニオンギヤに噛み合わされて前記出力回転部材と共に回転するリングギヤとを備え、
前記キャリヤには、前記内周側から供給された潤滑油のうち、前記位置決め穴を通じて前記遊星歯車装置側へ流出した一部の潤滑油を受けて前記ピニオンシャフトの端面に開口するピニオン潤滑油路へ導くオイル案内部材が設けられていることを特徴とする請求項２の車両用動力伝達装置。
【請求項４】
前記位置決め穴は、前記軸心から該位置決め穴の外周側縁までの径方向距離が、該軸心から前記オイル案内部材の内周端までの径方向距離よりも、小さくなるように形成されていることを特徴とする請求項２または３の車両用動力伝達装置。
【請求項５】
前記オイル案内部材は、前記軸心上に配設されて前記キャリヤに固定された円環状部材であり、
前記位置決め穴は、前記軸心と平行な中心線を有する円筒面状に形成されるとともに、前記軸心を中心とする前記位置決め穴の中心線までの直径と該位置決め穴の半径との和が、前記オイル案内部材の内径よりも小さくなるように形成されていることを特徴とする請求項４の車両用動力伝達装置。
【発明の詳細な説明】
【技術分野】
【０００１】
本発明は、電動機および遊星歯車装置を備える車両用動力伝達装置に関し、特に、遊星歯車装置への潤滑油の供給に関するものである。
【背景技術】
【０００２】
電動機と、その電動機の出力を減速する遊星歯車装置とを備える車両用動力伝達装置が知られている。例えば、特許文献１に記載されたものがそれである。この特許文献１の車両用動力伝達装置では、遊星歯車装置は、減速機として用いられている。また、電動機と、駆動源の動力をその電動機および出力回転部材に分配する遊星歯車装置とを備える車両用動力伝達装置が知られている。例えば、特許文献２および３に記載されたものがそれである。これら特許文献２および３の車両用動力伝達装置では、遊星歯車装置は、動力分配機として用いられている。
【先行技術文献】
【特許文献】
【０００３】
【特許文献１】特開２００６−２５０２７０号公報
【特許文献２】特開２００４−９２８９４号公報
【特許文献３】特開２００２−１０３９９９号公報
【発明の概要】
【発明が解決しようとする課題】
【０００４】
ところで、前記車両用動力伝達装置において、遊星歯車装置のピニオンギヤを回転可能に支持するピニオンシャフトには、端面または外周面に開口して上記ピニオンギヤの内周面へと連通されたピニオン潤滑油路が形成されている。そして、前記特許文献１および２の車両用動力伝達装置では、遊星歯車装置の上部に設けられたオイルキャッチタンクから、電動機と遊星歯車装置との間の隔壁に形成された油路を通じて、上記ピニオン潤滑油路へ潤滑油が供給されるように構成されている。
【０００５】
ところが、電動機および隔壁と遊星歯車装置との間にトルクリミッタ装置が設けられるような構成が考えられ、このような構成においては、前述のように隔壁に形成された油路を通じてピニオンシャフトのピニオン潤滑油路へ潤滑油を供給することができないという問題があった。
【０００６】
これに対して、特許文献３の車両用動力伝達装置では、遊星歯車装置と隔壁との間に一方向クラッチが設けられているが、遊星歯車装置のピニオンシャフトを支持するキャリヤに連結された回転軸内の油路から、そのキャリヤ内に形成された油路を通じて、ピニオンシャフトのピニオン潤滑油路へ潤滑油が供給されるように構成されている。しかしながら、上記構成によれば、キャリヤに上記油路を形成するために、ピニオンシャフトの一端部を支持する円板状のキャリヤ部材に対して内周面から外周側へ向けて径方向の穴を形成するための加工が必要となる。そのため、キャリヤを製造するときの加工工数が増すという問題があった。
【０００７】
上記に対して、例えば、前記キャリヤを支持する回転軸内の油路から、キャリヤとそれを軸受を介して支持する支持部材との間を通じて、ピニオンシャフトの端面に形成されたピニオン潤滑油路へ潤滑油を供給することも考えられる。しかし、上記軸受を通過して外周側へ向かう潤滑油の流通抵抗が高いために、キャリヤとそれを支持する支持部材との間には潤滑油が供給され難く、上記回転軸内の油路から供給される潤滑油はより流通抵抗の低い他の潤滑部位へ流れてしまうという問題が生じる。上記構成においては、ピニオンシャフトのピニオン潤滑油路へ潤滑油を十分に供給するために、上記回転軸内の油路から供給される潤滑油の量を必要以上に増加させなければならないという欠点がある。
【０００８】
本発明は以上の事情を背景としてなされたものであり、その目的とするところは、電動機と遊星歯車装置との間にトルクリミッタ装置が設けられる場合であっても、部品点数および部品の加工工数を増加させずに遊星歯車装置へ潤滑油を効率的に供給することができる車両用動力伝達装置を提供することにある。
【課題を解決するための手段】
【０００９】
かかる目的を達成するための請求項１にかかる発明の要旨とするところは、(a) 電動機と、(b) 駆動源の動力を前記電動機および出力回転部材に分配する遊星歯車装置と、(c) 軸心方向において前記電動機と前記遊星歯車装置との間に配設され、前記電動機に連結された第１回転部材と、前記遊星歯車装置に連結されて前記第１回転部材と摩擦係合された第２回転部材とを有し、前記第１および第２回転部材間の摩擦によって前記電動機と前記遊星歯車装置との間でトルクを伝達しつつも、前記第１および第２回転部材間のトルク差が予め定められた所定トルクを超えると前記第１および第２回転部材が互いにスリップして前記電動機と前記遊星歯車装置との間のトルクの伝達を抑制するトルクリミッタ装置とを、備える車両用動力伝達装置であって、(d) 前記第１および第２回転部材のうち前記遊星歯車装置側の部材は、前記軸心方向に貫通する貫通穴を有し、その貫通穴の内周側から前記第１および第２回転部材の間に供給される潤滑油によって相互間の摩擦部位が潤滑され、且つ前記貫通穴を通じて前記遊星歯車装置側へ流出した潤滑油によってその遊星歯車装置が潤滑されるようにしたことにある。
【００１０】
また、請求項２にかかる発明の要旨とするところは、請求項１にかかる発明において、前記貫通穴は、前記第１および第２回転部材に前記軸心方向にそれぞれ貫通して設けられて前記第１および第２回転部材を同心とするために用いられる一対の位置決め穴の一方であることにある。
【００１１】
また、請求項３にかかる発明の要旨とするところは、請求項２にかかる発明において、(a) 前記遊星歯車装置は、前記トルクリミッタ装置を介して前記電動機と共に回転可能に設けられたサンギヤと、そのサンギヤに噛み合うピニオンギヤを自転可能に支持するピニオンシャフトと、そのピニオンシャフトの両端部を支持するとともにそのピニオンシャフトを介して前記ピニオンギヤを前記サンギヤまわりの公転可能に支持し、前記駆動源と共に回転するキャリヤと、前記ピニオンギヤに噛み合わされて前記出力回転部材と共に回転するリングギヤとを備え、(b) 前記キャリヤには、前記内周側から供給された潤滑油のうち、前記位置決め穴を通じて前記遊星歯車装置側へ流出した一部の潤滑油を受けて前記ピニオンシャフトの端面に開口するピニオン潤滑油路へ導くオイル案内部材が設けられていることにある。
【００１２】
また、請求項４にかかる発明の要旨とするところは、請求項２または３にかかる発明において、前記位置決め穴は、前記軸心から前記位置決め穴の外周側縁までの径方向距離が、前記軸心から前記オイル案内部材の内周端までの径方向距離よりも、小さくなるように形成されていることにある。
【００１３】
また、請求項５にかかる発明の要旨とするところは、請求項４にかかる発明において、前記オイル案内部材は、前記軸心上に配設されて前記キャリヤに固定された円環状部材であり、前記位置決め穴は、前記軸心と平行な中心線を有する円筒面状に形成されるとともに、前記軸心を中心とする前記位置決め穴の中心線までの直径と該位置決め穴の半径との和が、前記オイル案内部材の内径よりも小さくなるように形成されていることにある。
【発明の効果】
【００１４】
請求項１にかかる発明の車両用動力伝達装置によれば、トルクリミッタ装置の第１および第２回転部材のうち遊星歯車装置側の部材は、軸心方向に貫通する貫通穴を有し、その貫通穴の内周側から第１および第２回転部材の間に供給される潤滑油によって相互間の摩擦部位が潤滑され、且つ上記貫通穴を通じて遊星歯車装置側へ流出した潤滑油によってその遊星歯車装置が潤滑されるようにしたことから、貫通穴の内周側から第１および第２回転部材の間および貫通穴を経て遊星歯車装置側へ潤滑油が流出するまでの流通経路に、その潤滑油の流通抵抗を高めるような例えば軸受等が存在しないので、電動機と遊星歯車装置との間にトルクリミッタ装置が設けられる場合であっても、部品点数および部品の加工工数を増加させずに遊星歯車装置へ潤滑油を効率的に供給することができる。
【００１５】
また、請求項２にかかる発明の車両用動力伝達装置によれば、前記貫通穴は、第１および第２回転部材に前記軸心方向にそれぞれ貫通して設けられてそれら第１および第２回転部材を同心とするために用いられる一対の位置決め穴の一方であることから、第１および第２回転部材にそれぞれ元々形成される位置決め穴によって潤滑油が遊星歯車装置に供給され、且つ位置決め穴の内周側から第１および第２回転部材の間および位置決め穴を経て遊星歯車装置側へ潤滑油が流出するまでの流通経路に、その潤滑油の流通抵抗を高めるような例えば軸受等が存在しないので、電動機と遊星歯車装置との間にトルクリミッタ装置が設けられる場合であっても、部品点数および部品の加工工数を増加させずに遊星歯車装置へ潤滑油を効率的に供給することができる。
【００１６】
また、請求項３にかかる発明の車両用動力伝達装置によれば、遊星歯車装置は、トルクリミッタ装置を介して電動機と共に回転可能に設けられたサンギヤと、そのサンギヤに噛み合うピニオンギヤを自転可能に支持するピニオンシャフトと、そのピニオンシャフトの両端部を支持するとともにそのピニオンシャフトを介してピニオンギヤをサンギヤまわりの公転可能に支持し、駆動源と共に回転するキャリヤと、ピニオンギヤに噛み合わされて出力回転部材と共に回転するリングギヤとを備え、キャリヤには、前記内周側から供給された潤滑油のうち前記位置決め穴を通じて遊星歯車装置側へ流出した一部の潤滑油を受けてピニオンシャフトの端面に開口するピニオン潤滑油路へ導くオイル案内部材が設けられていることから、キャリヤとそれを例えば軸受等を介して回転可能に支持する支持部材との間を通じてピニオンシャフトのピニオン潤滑油路へ潤滑油が供給される場合と比べて、潤滑油の流通経路に流通抵抗を高めるような例えば軸受等が存在しないので、潤滑油の供給量が少なくても効率的にピニオンギヤに潤滑油を供給することができる。
【００１７】
また、請求項４にかかる発明の車両用動力伝達装置によれば、第１および第２回転部材の位置決め穴は、トルクリミッタ装置の軸心から位置決め穴の外周側縁までの径方向距離が、上記軸心からオイル案内部材の内周端までの径方向距離よりも、小さくなるように形成されていることから、位置決め穴から遊星歯車装置側へ流出された潤滑油は、遠心力によって遊星歯車装置の外周側へ飛ばされるまでに好適にオイル案内部材に受けられて、ピニオンシャフトのピニオン潤滑油路へ供給されるので、潤滑油の供給量が少なくても効率的にピニオンギヤに潤滑油を供給することができる。
【００１８】
また、請求項５にかかる発明の車両用動力伝達装置によれば、オイル案内部材は、トルクリミッタ装置の軸心上に配設されて前記キャリヤに固定された円環状部材であり、位置決め穴は、上記軸心と平行な中心線を有する円筒面状に形成されるとともに、上記軸心を中心とする位置決め穴の中心線までの直径と位置決め穴の半径との和が、オイル案内部材の内径よりも小さくなるように形成されていることから、位置決め穴から遊星歯車装置側へ流出された潤滑油は、遠心力によって遊星歯車装置の外周側へ飛ばされるまでに好適にオイル案内部材に受けられて、ピニオンシャフトのピニオン潤滑油路へ供給されるので、潤滑油の供給量が少なくても効率的にピニオンギヤに潤滑油を供給することができる。
【図面の簡単な説明】
【００１９】
【図１】本発明が適用された車両用動力伝達装置の要部を示す断面図である。
【図２】図１のII矢視部を拡大して示す拡大断面図である。
【図３】キャリヤとそれをローラーベアリングを介して回転可能に支持する伝達部材との間を通じてピニオン潤滑油路へ潤滑油が供給されるように構成した車両用動力伝達装置の要部を示す断面図である。
【発明を実施するための最良の形態】
【００２０】
以下、本発明の一実施例を図面を参照して詳細に説明する。なお、以下の実施例において図は適宜簡略化或いは変形されており、各部の寸法比および形状等は必ずしも正確に描かれていない。
【実施例】
【００２１】
図１は、本発明が適用された車両用動力伝達装置１０の要部を示す断面図である。図１において、車両用動力伝達装置１０は、駆動源としての図示しないエンジンに固定された例えばアルミダイカスト製のトランスアクスルケース１２内において、上記エンジンの出力部材と共に回転する入力軸１４と、その入力軸１４の外周側においてトランスアクスルケース１２によってボールベアリング（ラジアル軸受）１６を介して支持された円筒状の出力回転部材２２と、入力軸１４の軸心Ｃ１上に設けられた電動機２０と、その電動機２０と同心に設けられ、前記エンジンの動力を電動機２０と入力軸１４の外周側に設けられた出力回転部材２２とに分配する遊星歯車装置２４と、軸心Ｃ１方向において電動機２０と遊星歯車装置２４との間に配設され、それらの間でトルクの伝達を可能にするトルクリミッタ装置２６とを備えている。なお、上記入力軸１４は、出力回転部材１８によってニードルローラベアリング（ラジアル軸受）２８を介して軸心Ｃ１まわりの回転可能に支持されている。
【００２２】
上記電動機２０は、トランスアクスルケース１２の内周面に固定されたステータ３０と、そのステータ３０の内周側に設けられ、トランスアクスルケース１２の内周面から内周側に突設された円板状の隔壁３２によってボールベアリング（ラジアル軸受）３４を介して軸心Ｃ１まわりの回転可能に支持された出力軸３６と、ステータ３０の内周側に設けられて出力軸３０の外周面に固定されたローター３８とを、備えている。この電動機２０は、発電機および電動モータとして機能する。
【００２３】
前記遊星歯車装置２４は、トルクリミッタ装置２６を介して電動機２０と共に回転可能に設けられたサンギヤ４０と、そのサンギヤ４０に噛み合うピニオンギヤ４２を自転可能に支持するピニオンシャフト４４と、そのピニオンシャフト４４の両端部を支持するとともにピニオンシャフト４４を介してピニオンギヤ４２をサンギヤ４０まわりの公転可能に支持し、入力軸１４の一端部に外周側に突設されたフランジ部４５に固定されて前記エンジンと共に回転するキャリヤ４６と、ピニオンギヤ４２に噛み合わされ、出力回転部材１８の一端部の外周面に嵌め着けられた円板状の伝達部材４８の外周部に連結されて出力回転部材１８と共に回転するリングギヤ５０とを備えている。上記キャリヤ４６および入力軸１４は、伝達部材４８によってローラーベアリング（スラスト軸受）５２を介して軸心Ｃ１方向の伝達部材４８側への移動不能且つ軸心Ｃ１まわりの回転可能に支持されている。そして、サンギヤ４０は、遊星歯車装置２４側へ延設された電動機２０の出力軸３６の一端部の外周側に設けられ、その一端部によって円筒状のブッシュ（すべり軸受）５４を介して軸心Ｃ１まわりの回転可能に支持され、また、入力軸１４のフランジ部４５によってローラーベアリング（スラスト軸受）５６を介して軸心Ｃ１方向の入力軸１４側への移動不能且つ軸心Ｃ１まわりの回転可能に支持されている。
【００２４】
上記ピニオンシャフト４４には、トルクリミッタ装置２６側の端面に開口する有底穴５８と、その有底穴５８からピニオンシャフト４４の外周面まで貫通する貫通孔６０とを有し、上記有底穴５８の開口から流入した潤滑油をピニオンギヤ４２に供給するピニオン潤滑油路６２が形成されている。そして、キャリヤ４６には、軸心Ｃ１上に配設され、キャリヤ４６のトルクリミッタ装置２６側の側面のうちピニオンシャフト４４の外周側の位置に、外周部の円周方向の全てが密着状態で固定され、内周端がピニオン潤滑油路６２の有底穴５８よりも内周側に位置するように設けられた円環板状のオイルレシーバー（オイル案内部材）６４が設けられている。このオイルレシーバー６４は、トルクリミッタ装置２６を構成する後述のカバー部材６６に形成された位置決め穴７６から流出した潤滑油を受けて、その潤滑油を上記ピニオン潤滑油路６２へ導くものである。
【００２５】
図２は、図１のII矢視部を拡大して示す拡大断面図である。図２において、前記トルクリミッタ装置２６は、内周部がサンギヤ４０の隔壁３２側の一端部の外周面に軸心Ｃ１まわりの回転不能に例えばスプライン嵌合された円環板状の壁部６６ａと、その壁部６６ａの外周部から隔壁３２側に向けて突設された円筒部６６ｂと、その円筒部６６ｂの隔壁３２側の一端部から周方向に連続して径方向の内側に突設された円環板状の外周壁部６６ｃとを有するカバー部材（第２回転部材）６６を備えている。また、トルクリミッタ装置２６は、軸心Ｃ１方向のボールベアリング３４とサンギヤ４０との間において、内周部が前記電動機２０の出力軸３６の外周面に軸心Ｃ１まわりの回転不能に例えばスプライン嵌合された円環板状部材であって、外周部が軸心Ｃ１方向においてカバー部材６６の壁部６６ａと外周壁部６６ｃとの間に配設されたプレート部材６８と、そのプレート部材６８の両側面の外周部に固定された一対の摩擦材７０と、プレート部材６８に対してカバー部材６６の壁部６６ａとは反対側に設けられ、円環板状の押圧部材７２を介してプレート部材６８をカバー部材６６の壁部６６ａに向けて付勢する皿ばね７４とを有している。
【００２６】
上記カバー部材６６およびプレート部材６８は、軸心Ｃ１に平行な一直線方向にそれぞれ貫通し、それらカバー部材６６およびプレート部材６８を互いに組み付ける際に相互に同心とするために用いられる一対の位置決め穴７６をそれぞれ有している。この位置決め穴７６は、軸心Ｃ１に平行な中心線Ｃ２を有する直径φＢの円筒面状に形成されている。そして、位置決め穴７６は、軸心Ｃ１から位置決め穴７６の外周側縁までの径方向距離が、軸心Ｃ１からオイルレシーバー６４の内周端までの径方向距離よりも小さくなるように形成されている。さらに言えば、本実施例の位置決め穴７６は、軸心Ｃ１を中心とする位置決め穴７６の中心線Ｃ２までの直径Ｃと位置決め穴７６の半径Ｂ／２との和が、オイルレシーバー６４の直径Ｄよりも小さくなるように形成されている。また、オイルレシーバー６４は、オイルレシーバー６４とカバー部材６６との軸心Ｃ１方向の間隔Ｅが、カバー部材６６に対して相対回転時においても干渉しない範囲で可及的に小さく設定されている。なお、上記一対の位置決め穴７６のうち遊星歯車装置２４側の一方、すなわちカバー部材６６に形成された位置決め穴７６は、本発明における貫通穴に相当するものである。
【００２７】
このようなトルクリミッタ装置２６は、摩擦材７０を介したカバー部材６６とプレート部材６８との摩擦によって遊星歯車装置２４のサンギヤ４０と前記電動機２０の出力軸３６との間でトルクを伝達しつつも、カバー部材６６とプレート部材６８との間のトルク差が予め定められたトルク差を超えると、カバー部材６６およびプレート部材６８が互いにスリップして遊星歯車装置２４のサンギヤ４０と前記電動機２０の出力軸３６との間のトルクの伝達を抑制する。
【００２８】
図１に戻って、電動機２０の出力軸３６の内周側には、一端部が入力軸１４に連結された円管状のオイルパイプ７８が設けられている。そして、オイルパイプ７８の他端部には、電動機２０のトルクリミッタ装置２６とは反対側に配設された図示しないオイルポンプのローターが固定されている。上記オイルポンプのローターは、入力軸１４によってオイルパイプ７８を介して回転駆動されるようになっており、上記オイルポンプから吐出された潤滑油は、オイルパイプ７８を通じて各潤滑部位へ供給されるようになっている。
【００２９】
上記オイルパイプ７８内に供給された潤滑油のうち、オイルパイプ７８および出力軸３６を径方向に貫通して設けられた貫通孔８０および８２を通じて外周側へ向かう潤滑油は、カバー部材６６とプレート部材６８との間に供給されてそれらの摩擦部位を潤滑する。すなわち、カバー部材６６およびプレート部材６８は、位置決め穴７６の内周側からカバー部材６６とプレート部材６８との間に供給された潤滑油によって相互間の摩擦部位が潤滑される。そして、カバー部材６６とプレート部材６８との間に供給された潤滑油のうち、カバー部材６６の位置決め穴７６を通じて遊星歯車装置２４側へ流出した一部の潤滑油は、図１において矢印ａで示すように、オイルレシーバー６４に受けられてピニオンシャフト４４のピニオン潤滑油路６２へ供給される。ピニオンギヤ４２は、ピニオン潤滑油路６２を通じて供給された潤滑油によって潤滑される。
【００３０】
また、オイルパイプ７８内に供給された潤滑油のうち、入力軸１４内に形成された油路８４、および入力軸１４に径方向に貫設された貫通孔８６をそれぞれ通じて外周側へ向かう潤滑油は、入力軸１４と出力回転部材１８との間のニードルローラベアリング２８、および入力軸１４と伝達部材４８との間のローラーベアリング５２等を潤滑する。
【００３１】
因みに、図３に示す車両用動力伝達装置１００では、ピニオン潤滑油路６２を構成する有底穴５８がピニオンシャフト４４の伝達部材４８側に開口し、そして、図３に矢印ｂで示すように、オイルパイプ７８から入力軸１４内の油路８４および貫通孔８６をそれぞれ通じてローラーベアリング５２に潤滑油が供給され、そこから外周側のキャリヤ４６と伝達部材４８との間に流出した一部の潤滑油がピニオン潤滑油路６２へ供給されるようになっている。このような構成の場合には、ローラーベアリング５２を通過して外周側へ向かう潤滑油の流通抵抗が高いために、そのローラーベアリング５２の外周側のキャリヤ４６と伝達部材４８との間には潤滑油が供給され難いという問題があった。
【００３２】
本実施例の車両用動力伝達装置１０によれば、トルクリミッタ装置２６を構成するカバー部材６６およびプレート部材６８は、軸心Ｃ１に平行な一直線方向にそれぞれ貫通し、それらカバー部材６６およびプレート部材６８を同心とするために用いられる位置決め穴７６をそれぞれ有し、その位置決め穴７６の内周側からカバー部材６６とプレート部材６８との間に供給される潤滑油によって相互間の摩擦部位が潤滑され、且つ位置決め穴７６を通じて遊星歯車装置２４側へ流出した潤滑油によってその遊星歯車装置２４が潤滑されるようにしたことから、カバー部材６６およびプレート部材６８にそれぞれ元々形成されている位置決め穴７６によって潤滑油が遊星歯車装置２４に供給され、且つ位置決め穴７６の内周側からカバー部材６６とプレート部材６８との間および位置決め穴７６を経て遊星歯車装置２４側へ潤滑油が流出するまでの流通経路に、潤滑油の流通抵抗を高めるような例えば軸受等が存在しないので、電動機２０と遊星歯車装置２４との間にトルクリミッタ装置２６が設けられる場合であっても、部品点数および部品の加工工数を増加させずに、遊星歯車装置２４のピニオンギヤ４２へ潤滑油を効率的に供給することができる。
【００３３】
本実施例の車両用動力伝達装置１０によれば、遊星歯車装置２４は、トルクリミッタ装置２６を介して電動機２０と共に回転可能に設けられたサンギヤ４０と、そのサンギヤ４０に噛み合うピニオンギヤ４２を自転可能に支持するピニオンシャフト４４と、そのピニオンシャフト４４の両端部を支持するとともにそのピニオンシャフト４４を介してピニオンギヤ４２をサンギヤ４０まわりの公転可能に支持し、駆動源と共に回転するキャリヤ４６とを備え、キャリヤ４６には、前記内周側から供給された潤滑油のうち、位置決め穴７６を通じて遊星歯車装置２４側へ流出した一部の潤滑油を受けてピニオンシャフト４４の端面に開口するピニオン潤滑油路６２へ導くオイルレシーバー（オイル案内部材）６４が設けられていることから、オイルパイプ７８からピニオン潤滑油路６２までの潤滑油の流通経路にその潤滑油の流通抵抗を高めるような例えば軸受等が存在しないので、例えば図３に示すように流通経路に配置されたローラーベアリング５２を通じてピニオン潤滑油路６２へ潤滑油が供給される場合と比べて、潤滑油の供給量が少なくても効率的にピニオンギヤ４２に潤滑油を供給することができる。
【００３４】
本実施例の車両用動力伝達装置１０によれば、位置決め穴７６は、軸心Ｃ１を中心とする位置決め穴７６の中心線Ｃ２までの直径Ｃと位置決め穴７６の半径Ｂ／２との和が、オイルレシーバー６４の直径Ｄよりも小さくなるように形成されていることから、位置決め穴７６から遊星歯車装置２４側へ流出された潤滑油は、遠心力によって遊星歯車装置２４の外周側へ飛ばされるまでに好適にオイルレシーバー６４に受けられて、ピニオンシャフト４４のピニオン潤滑油路６２へ供給されるので、潤滑油の供給量が少なくても効率的にピニオンギヤ４２に潤滑油を供給することができる。
【００３５】
以上、本発明の一実施例を図面を参照して詳細に説明したが、本発明はこの実施例に限定されるものではなく、別の態様でも実施され得る。
【００３６】
たとえば、位置決め穴７６は、軸心Ｃ１と平行な中心線Ｃ２を有する直径φＢの円筒面状に形成されていたが、これに限らない。例えば、軸心Ｃ１に対して平行でなく斜行する軸心を有するものであってもよい。また、例えば、軸心に直交する断面が楕円、半円、又は多角形等であってもよく、その形状は軸心方向において変化するものであってもよい。例えば、ネジ穴、長穴、斜め穴などであってもよい。要するに、カバー部材６６とプレート部材６８とを同心にするために位置決めを行うものとして機能し、軸心方向に貫設された穴であればよい。
【００３７】
また、カバー部材６６とプレート部材６８との間に供給された潤滑油の一部は、位置決め穴７６を通じて遊星歯車装置２４側へ流出するようになっていたが、これに限らず、例えば、位置決め穴７６とは別にカバー部材６６に貫設された貫通穴を通じて、潤滑油が遊星歯車装置２４側へ流出するように構成されてもよい。その場合において、上記貫通穴は、位置決め穴７６を形成するときに同時に例えば型成形または機械加工によって形成される。これにより、上記貫通穴を形成するためのコスト増加を抑制することができる。
【００３８】
また、オイルレシーバー６４は、キャリヤ４６とは別部材から成る円環板状部材がキャリヤ４６に固定されたものであったが、これに限らず、例えば、キャリヤ４６またはピニオンシャフト４４と一体に形成されるものであってもよい。
【００３９】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００４０】
１０：車両用動力伝達装置
２０：電動機
２２：出力回転部材
２４：遊星歯車装置
２６：トルクリミッタ装置
４０：サンギヤ
４２：ピニオンギヤ
４４：ピニオンシャフト
４６：キャリヤ
５０：リングギヤ
６２：ピニオン潤滑油路
６４：オイルレシーバー（オイル案内部材）
６６：カバー部材（第１回転部材）
６８：プレート部材（第２回転部材）
７６：位置決め穴（貫通穴）
Ｂ：直径（位置決め穴の半径）
Ｃ：径方向距離（トルクリミッタ装置の軸心から位置決め穴の軸心までの径方向距離）
Ｃ１：軸心
Ｃ２：中心線
Ｄ：径方向距離（トルクリミッタ装置の軸心からオイル案内部材の内周端までの径方向距離）
【図１】
2011202775.tif 000003
【図２】
2011202775.tif 000004
【図３】
2011202775.tif 000005